(57)【要約】 【課題】ポスター等の掲示シートを密接状態で収容でき、又、その収容及びその取り出しを容易に行い得る掲示シート収容保持具を提供する。【解決手段】前後シート２，３の上の縁部相互及び下の縁部相互が一体化された掲示シート収容保持具である。前シート２の外面１５がガラス壁等の透明板部１６に貼着される。前後シート２，３の間が、ポスター等の掲示シート１９を密接状態に収容させるための収容部２１とされている。掲示シート１９は、後シート３の上下の横長開口部２６，２６で、挿入状態にある掲示シート１９の裏面に手指の指腹を接触させて手指を左右方向で移動させることにより、左右方向で容易に移動させ得る。収容部２１に収容状態にある掲示シート１９の表面表示部２０は、透明板部１６と透明な前シートとを透して見ることができる。【選択図】  図４
2020126097.tif 000002
【特許請求の範囲】
【請求項１】
互いに重なり合う矩形状の前後シートを具え、少なくとも前シートは透明に形成され、該前後シートの上の縁部相互及び下の縁部相互は、夫々一体化されると共に、該前後シートの左の縁相互及び右の縁相互は、夫々分離され、該前シートの外面が透明板部に貼着されるように構成されており、
該前後シートの間が、掲示シートを、その表面表示部を前記前シート側に向けて密接状態に挿入させ得る収容部とされ、該掲示シートは、該収容部の左右夫々の縁間を通して該収容部に収容可能となされており、該収容部に収容された状態にある該掲示シートの前記表面表示部を、前記透明板部と、前記前シートとしての掲示面部とを透して見ることができるように構成されており、
前記後シートの上下には該後シートの左右方向略全幅に亘る横長開口部が設けられていることを特徴とする掲示シート収容保持具。
【請求項２】
互いに重なり合う矩形状の前後シートを具え、少なくとも前シートは透明に形成され、該前後シートの上の縁部相互及び下の縁部相互は、夫々一体化されると共に、該前後シートの左の縁相互及び右の縁相互は、夫々分離され、該前シートの外面が透明板部に貼着されるように構成されており、
該前後シートの間が、掲示シートを、その表面表示部を前記前シート側に向けて密接状態に挿入させ得る収容部とされ、該掲示シートは、該収容部の左右夫々の縁間を通して該収容部に収容可能となされており、該収容部に収容された状態にある該掲示シートの前記表面表示部を、前記透明板部と、前記前シートとしての掲示面部とを透して見ることができるように構成されており、
前記後シートの上下には該後シートの左右方向略全幅に亘る横長開口部が設けられ、上下の該横長開口部の夫々は、前記収容部にある前記掲示シートの裏面に接触でき且つ該接触した状態で該横長開口部において左右方向で移動でき、該移動に伴って該掲示シートを該左右方向で移動させ得る接触部を嵌め入れ可能に構成されていることを特徴とする掲示シート収容保持具。
【請求項３】
前記接触部は手指の指腹であり、上下の前記横長開口部の夫々の上下幅は、該手指の該指腹を嵌め入れて該指腹を、前記収容部にある前記掲示シートの前記裏面に接触させることができるように設定されており、該指腹を該裏面に接触させた状態で前記手指を前記横長開口部において左右方向で移動させることができ、該移動に伴って該掲示シートを該左右方向で移動させ得るように構成されていることを特徴とする請求項２記載の掲示シート収容保持具。
【請求項４】
前記前後シートは共に透明に形成されていることを特徴とする請求項１、２又は３記載の掲示シート収容保持具。
【請求項５】
前記前シートの外面の上下の縁部分が前記透明板部に両面粘着テープを介して貼着されることを特徴とする請求項１〜４の何れかに記載の掲示シート収容保持具。
【請求項６】
前記後シートの、前記左右夫々の縁の上下延長方向で見た中央部位には円弧状に凹む中央欠切凹部が設けられていることを特徴とする請求項１〜５の何れかに記載の掲示シート収容保持具。
【請求項７】
前記後シートの、前記左右夫々の縁の上下延長方向で見た中央部位には円弧状に凹む中央欠切凹部が設けられており、又、前記後シートの前記左右夫々の縁の上下縁部分には、前記掲示シートを前記収容部に挿入させる際に、該上下縁部分の近傍部位に応力を集中させないで前記後シートを無理なく開くことができるようにするための縁欠切部が設けられていることを特徴とする請求項１〜５の何れかに記載の掲示シート収容保持具。
【請求項８】
前記後シートの前記上下の縁部間の部分は、該後シートの左の縁が前記前シートの左の縁から内方に稍控えて位置し、該前シートの内面に対して、手指を掛けるための段差が設けられており、該後シートの右の縁が前記前シートの右の縁から内方に稍控えて位置し、手指を掛けるための段差が前記前シートの内面に対して設けられていることを特徴とする請求項１〜７の何れかに記載の掲示シート収容保持具。
【請求項９】
前記後シートの前記上下の縁部間の部分は、該後シートの左の縁が前記前シートの左の縁から外方に稍突出すると共に、該後シートの右の縁が前記前シートの右の縁から外方に稍突出していることを特徴とする請求項１〜７の何れかに記載の掲示シート収容保持具。
【請求項１０】
前記横長開口部は、その長さ方向の中央部位で、該横長開口部の上下の縁相互が、前記後シートの一部をなす補強連結片で連結されていることを特徴とする請求項１〜８の何れかに記載の掲示シート収容保持具。
【請求項１１】
前記中央欠切凹部の、前記前シートに面する縁部分には、該縁部分の少なくとも凹部底の部分を前記前シートに対して浮かすための浮かし突部が設けられており、該凹部底の部分に、手指の爪先を挿入させ得る挿入間隙部が設けられていることを特徴とする請求項６又は７記載の掲示シート収容保持具。
【請求項１２】
前記中央欠切凹部の、前記前シートに面する縁部分には、該中央欠切凹部の縁から内方に控えた部位において浮かし突部が設けられており、該縁と該浮かし突部との間に、手指の爪先を挿入させ得る挿入間隙部が設けられていることを特徴とする請求項６又は７記載の掲示シート収容保持具。
【請求項１３】
前記浮かし突部は、点状又は線状であることを特徴とする請求項１１又は１２記載の掲示シート収容保持具。
【発明の詳細な説明】
【技術分野】
【０００１】
本発明は、ガラス壁等の透明板部に貼着される掲示シート収容保持具に関するものである。
【背景技術】
【０００２】
郵便局や銀行、コンビニエンスストア等の店舗においては、ガラス壁の内壁面に、表面表示面を外向きにしてポスターを貼着することが行われている。かかる貼着は、ポスター裏面の粘着面を前記内壁面に貼り付けたり、粘着テープでポスターを該内壁面に貼り付けて行っていた。そのため、ポスターを貼り替えるためにこれを該内壁面から剥がそうとしても、粘着物が硬化していて剥がしにくいことが多かった。又、ポスターを剥がしたときに該内壁面に、粘着物や粘着物の剥がし痕が残りやすく、これを払拭することに大きな労力を要する場合が多かった。そのため、該粘着物や該粘着物の引き剥がし痕を該内壁面から除去するために専用の工具が必要となる等して、郵便局員等の店員がポスターの貼り替えを行うのは難しかった。
【０００３】
そこで、例えば特許文献１が開示する掲示板や特許文献２、３、４が開示する掲示板が提供されている。
【０００４】
特許文献１が開示する掲示板は、ポスターを、枠体内の左右側に設けられたガイド溝に沿って該枠体の上辺側から下方に向けて挿入させるように構成されていた。そのためポスターを挿入させる際に、該ポスターの、未だ挿入されていない上側の部分がその自重で手前に倒れるように反る等してこれを枠体内に挿入させにくい問題があった。加えて、壁面等の設置面への該枠体の設置高さが高い場合は、該枠体の上辺が高い位置にあるために、ポスターを該枠体内に挿入させにくい問題があった。又、該枠体内に挿入された状態にあるポスターを上方向に向けてスライドさせて取り出す際も、ポスター挿入時におけると同様に、ポスターの反りに伴う前記と同様の問題や該枠体の設置高さが高い場合の前記と同様の問題があって、ポスターの取り出しが難しかった。
【０００５】
これに対して特許文献２、３，４に係る掲示板は、共に、ポスターをその左辺側又はその右辺側で左右方向で挿入でき、又取り出しできるように構成されていたため、特許文献1 における前記問題点は解消されている。しかしながら、該ポスターを掲示板内に密接状態に挿入させる際、これを左右方向で移動させにくい場合があった。又、掲示板内に収容されているポスターを取り出す際も、該ポスターを左右方向で移動させにくい場合があった。
【０００６】
又、特許文献２〜４に係る掲示板はいずれも、ポスターの表面表示面と対向する掲示面部の外面を露出させて使用されるものであったため、該外面が風雨等の影響を受けて汚損されたり、該外面に傷がつく恐れもあった。
【先行技術文献】
【特許文献】
【０００７】
【特許文献１】実用新案登録第３０７７２４０号
【特許文献２】実用新案登録第３０７１７０３号
【特許文献３】特開平１１―２０２８１６号
【特許文献４】特開平９―２３０７９３号
【発明の概要】
【発明が解決しようとする課題】
【０００８】
本発明は、ポスターを、左辺側又は右辺側から左右方向で挿入でき又取り出しできるように構成されていた前記従来のポスター掲示板の前記課題に着眼して開発されたものであり、ポスター等の掲示シートの挿入及び該掲示シートの取り出しを容易に行うことができると共に、該掲示シートの表面表示部と対向する掲示面部の外面が汚損されたり該外面に傷がついたりする恐れのない掲示シート収容保持具の提供を課題とするものである。
【課題を解決するための手段】
【０００９】
前記課題を解決するため本発明は以下の手段を採用する。
即ち、本発明に係る掲示シート収容保持具の第１の態様は、互いに重なり合う（完全に重なり合う態様には限らない）矩形状の前後シートを具え、少なくとも前シートは透明に形成され、該前後シートの上の縁部相互及び下の縁部相互は、夫々一体化されると共に、該前後シートの左の縁相互及び右の縁相互は、夫々分離され、該前シートの外面が透明板部に貼着されるように構成されており、該前後シートの間が、掲示シートを、その表面表示部を前記前シート側に向けて密接状態に挿入させ得る収容部とされ、該掲示シートは、該収容部の左右夫々の縁間を通して該収容部に収容可能となされており、該収容部に収容された状態にある該掲示シートの前記表面表示部を、前記透明板部と、前記前シートとしての掲示面部とを透して見ることができるように構成されている。そして前記後シートの上下には該後シートの左右方向略全幅に亘る横長開口部が設けられていることを特徴とするものである。
【００１０】
本発明に係る掲示シート収容保持具の第２の態様は、互いに重なり合う矩形状の前後シートを具え、少なくとも前シートは透明に形成され、該前後シートの上の縁部相互及び下の縁部相互は、夫々一体化されると共に、該前後シートの左の縁相互及び右の縁相互は、夫々分離され、該前シートの外面が透明板部に貼着されるように構成されており、該前後シートの間が、掲示シートを、その表面表示部を前記前シート側に向けて密接状態に挿入させ得る収容部とされ、該掲示シートは、該収容部の左右夫々の縁間を通して該収容部に収容可能となされており、該収容部に収容された状態にある該掲示シートの前記表面表示部を、前記透明板部と、前記前シートとしての掲示面部とを透して見ることができるように構成されている。そして、前記後シートの上下には該後シートの左右方向略全幅に亘る横長開口部が設けられ、上下の該横長開口部の夫々は、前記収容部にある前記掲示シートの裏面に接触でき且つ該接触した状態で該横長開口部において左右方向で移動でき、該移動に伴って該掲示シートを該左右方向で移動させ得る接触部を嵌め入れ可能に構成されていることを特徴とするものである。
【００１１】
本発明に係る掲示シート収容保持具の第３の態様は、前記接触部は手指の指腹であり、上下の前記横長開口部の夫々の上下幅は、該手指の該指腹を嵌め入れて該指腹を、前記収容部にある前記掲示シートの裏面に接触させることができるように設定されており、該指腹を該裏面に接触させた状態で前記手指を前記横長開口部において左右方向で移動させることができ、該移動に伴って該掲示シートを該左右方向で移動させ得るように構成されていることを特徴とするものである。
【００１２】
本発明に係る掲示シート収容保持具の第４の態様は、前記第１、第２又は第３の態様において、前記前後シートが共に透明に形成されていることを特徴とするものである。
【００１３】
本発明に係る掲示シート収容保持具の第５の態様は、前記第１〜第４の何れかの態様において、前記前シートの外面の上下の縁部分が前記透明板部に両面粘着テープを介して貼着されることを特徴とするものである。
【００１４】
本発明に係る掲示シート収容保持具の第６の態様は、前記第１〜第５の何れかの態様において、前記後シートの、前記左右夫々の縁の上下延長方向で見た中央部位に、円弧状に凹む中央欠切凹部が設けられていることを特徴とするものである。
【００１５】
本発明に係る掲示シート収容保持具の第７の態様は、前記第１〜第５の何れかの態様において、前記後シートの、前記左右夫々の縁の上下延長方向で見た中央部位には円弧状に凹む中央欠切凹部が設けられており、又、前記後シートの前記左右夫々の縁の上下縁部分には、前記掲示シートを前記収容部に挿入させる際に、該上下縁部分の近傍部位に応力を集中させないで前記後シートを無理なく開くことができるようにするための縁欠切部が設けられていることを特徴とするものである。
【００１６】
本発明に係る掲示シート収容保持具の第８の態様は、前記第１〜第７の何れかの態様において、前記後シートの前記上下の縁部間の部分は、その左の縁が前記前シートの左の縁から内方に稍控えて位置し、手指を掛けるための段差が前記前シートの内面に対して設けられており、その右の縁が前記前シートの右の縁から内方に稍控えて位置し、手指を掛けるための段差が前記前シートの内面に対して設けられていることを特徴とするものである。
【００１７】
本発明に係る掲示シート収容保持具の第９の態様は、前記第１〜第７の何れかの態様において、前記後シートの前記上下の縁部間の部分は、該後シートの左の縁が前記前シートの左の縁から外方に稍突出すると共に、該後シートの右の縁が前記前シートの右の縁から外方に稍突出していることを特徴とするものである。
【００１８】
本発明に係る掲示シート収容保持具の第１０の態様は、前記第１〜第８の何れかの態様において、前記横長開口部は、その長さ方向の中央部位で、該横長開口部の上下の縁相互が、前記後シートの一部をなす補強連結片で連結されていることを特徴とするものである。
【００１９】
本発明に係る掲示シート収容保持具の第１１の態様は、前記第６又は第７の態様において、前記中央欠切凹部の、前記前シートに面する縁部分には、該縁部分の少なくとも凹部底の部分を前記前シートに対して浮かすための浮かし突部が設けられており、該凹部底の部分に、手指の爪先を挿入させ得る挿入間隙部が設けられていることを特徴とするものである。
【００２０】
本発明に係る掲示シート収容保持具の第１２の態様は、前記第６又は第７の態様において、前記中央欠切凹部の、前記前シートに面する縁部分には、該中央欠切凹部の縁から内方に控えた部位において浮かし突部が設けられており、該縁と該浮かし突部との間に、手指の爪先を挿入させ得る挿入間隙部が設けられていることを特徴とするものである。
【００２１】
本発明に係る掲示シート収容保持具の第１３の態様は、前記第１１又は第１２の何れかの態様において、前記浮かし突部は、点状又は線状であることを特徴とするものである。
【発明の効果】
【００２２】
本発明は前記構成を採用するため、以下の如き優れた効果を奏する。
(1) 本発明に係る掲示シート収容保持具は、前記前後シートの上下の縁部相互が一体化されると共に該前後シートの左右の縁相互が分離されており、又、前記後シートの上下には、手指の指腹等の接触部を嵌め入れ該接触部を左右方向で移動させることを可能とする横長開口部が前記後シートの左右方向略全幅に亘って設けられている。
【００２３】
従って本発明によるときは、ポスター等の掲示シートの挿入及び取り出しを、左右何れの縁側からでも容易に行うことができる。そして該掲示シートの挿入に際しては、前記収容部に存する空気を前記上下の横長開口部から円滑に逃しつつ、前記上下の横長開口部における前記接触部の移動に伴い上下バランスよく該掲示シートを移動させることができる。かかることから、該掲示シートを収容部に容易に正しく収容させることができる。
【００２４】
(2) 又本発明に係る掲示シート収容保持具は、前記前シートの外面が透明板部に貼着されるように構成されると共に、前記掲示シートを、その表面表示部を前記前シート側に向けて前記収容部に収容させるように構成されているため、収容部に収容状態にある掲示シートの前記表面表示部と対向する掲示面部の外面（前記前シートの外面）が雨風等によって汚損されたり、該外面に傷がつくなどの恐れがない。従って、前記透明板部と、透明な前記前シートとしての掲示面部とを透して、前記表面表示部は常時クリアに見える。
【００２５】
(3) 本発明に係る掲示シート収容保持具は、その使用状態においては前記透明板部につけっぱなしの状態となり、該つけっぱなしの該掲示シート収容保持具に対して前記掲示シートを挿入し、又これを取り出す方式のものである。従って本発明によるときは、ガラス壁の内壁面にポスターを直に貼着していた従来の掲示板とは異なり、ガラス壁等に粘着物や粘着物の剥がし痕が残ることがない。従って、郵便局員等の店員であっても、ガラス壁等を汚損することなく掲示シートの交換作業を容易に行うことができる。
【００２６】
(4) 前記後シートの前記上下の縁部間の部分を、その左の縁が前記前シートの左の縁から内方に稍控えて位置すると共に、その右の縁が前記前シートの右の縁から内方に稍控えて位置するように構成するときは、前記後シートの左右の縁で、前記前シートの内面に対して、手指を掛けるための段差を設けることができる。そのため、前記掲示シートを前記収容部に挿入するために挿入開口を形成する際、該指先を該段差に掛けて前記後シートの縁部分を起こし易く、該挿入開口を形成し易い。
【００２７】
(5) 前記後シートの前記上下の縁部間の部分を、該後シートの左の縁が前記前シートの左の縁から外方に稍突出すると共に、該後シートの右の縁が前記前シートの右の縁から外方に稍突出するように構成するときは、前記掲示シート収容保持具の前記前シートの外面を前記透明板部の内壁面に貼着した状態で、該内壁面と該突出した部分との間に、手指の爪先を挿入させ得る挿入間隙部が設けられることとなる。従って、前記掲示シートを前記収容部に挿入するために挿入開口を形成する際、該挿入間隙部に爪先を挿入させることにより、該後シートの縁部分を起こし易く該挿入開口を形成し易い。
【００２８】
(6) 前記左右の縁に設けた前記中央欠切凹部の、前記前シートに面する縁部分に浮かし突部を設ける場合は、該凹部底の部分に設けられた挿入間隙部に手指の爪先を挿入させることができるため、前記掲示シートを前記収容部に挿入するための挿入開口を形成し易い。
【図面の簡単な説明】
【００２９】
【図１】本発明に係る掲示シート収容保持具を示す正面図である。
【図２】その背面図である。
【図３】掲示シートを収容する収容部を説明する断面図と、該収容部に掲示シートを収容した状態を説明する断面図である。
【図４】掲示シート収容保持具を示す一部欠切斜視図である。
【図５】掲示シート収容保持具の使用状態を示す上側の断面図である。
【図６】掲示シート収容保持具の使用状態を示す下側の断面図である。
【図７】横長開口部に手指の指腹を嵌め入れてその指腹を掲示シートの裏面に接触させた状態を示す側面図である。
【図８】掲示シート収容保持具の中央欠切凹部の構成を拡大して示す斜視図である。
【図９】後シートの縁部分を起こして、掲示シートの先側部分を挿入するための挿入開口部を形成する要領を説明する断面説明図である。
【図１０】後シートの縁部分を起こして形成した挿入開口部を通して掲示シートの先側部分を挿入している状態を示す斜視図である。
【図１１】挿入開口部に後シートの縁部分を挿入している状態と、その後に前後シートを閉じた状態を示す断面説明図である。
【図１２】収容部に収容状態にある掲示シートの裏面に指腹を接触させて手指を左方向に移動させている状態を示す正面説明図である。
【図１３】収容部にある掲示シートの裏面に指腹を接触させて手指を右方向に移動させている状態を示す正面説明図である。
【図１４】横長開口部の長さ方向の中央部位相互が補強連結片で連結された状態を示す背面図である。
【図１５】中央欠切凹部の、前シートに面する縁部分に浮かし突部を設けて、手指の爪先を挿入させる挿入間隙部を設けた状態を示す部分正面図、部分側面図、部分断面図である。
【図１６】中央欠切凹部の、前シートに面する縁部分に浮かし突部を設けて、手指の爪先を挿入させる挿入間隙部を設けた状態を示す部分正面図、部分側面図、部分断面図である。
【図１７】中央欠切凹部の、前シートに面する縁部分に浮かし突部を設けて、手指の爪先を挿入させる挿入間隙部を設けた状態を示す部分正面図である。
【図１８】後シートの上下の縁部間の部分を、後シ−トの左右の縁が前シートの左右の縁から外方に突出するように構成された掲示シート収容保持具を説明する断面図である。
【発明を実施するための形態】
【実施例１】
【００３０】
図１〜７において本発明に係る掲示シート収容保持具１は、互いに重なり合う矩形状の前後シート２，３を具え、少なくとも前シート２は透明に形成され、該前後シート２，３の上の縁部５，６相互及び下の縁部７，９相互は、夫々一体化されると共に、該前後シート２，３の左の縁１０，１１相互及び右の縁１２，１３相互は、夫々分離され、該前シート２の外面１５が透明板部１６（図３）に貼着されるように構成されている。又、該前後シート２，３の間が、掲示シート１９を、その表面表示部（該掲示シート１９の表面）２０を前記前シート２側に向けて密接状態に挿入させ得る収容部２１とされ、該掲示シート１９は、前記前後シート２，３の左の縁１０，１１間２２を通して或いは右の縁部１２，１３間２３を通して該収容部２１に収容可能となされている。そして、該収容部２１に収容された状態にある前記掲示シート１９の前記表面表示部２０を、前記透明板部１６と、前記前シート２としての掲示面部２５（図３、図５）とを透して見ることができるように構成されている。
【００３１】
又図１に示すように、前記後シート３の上下には、該後シート３の左右方向略全幅に亘る横長開口部２６，２６が設けられている。そして、上下の該横長開口部２６，２６の夫々は、前記収容部２１にある前記掲示シート１９の裏面３０に接触でき且つ該接触した状態で該横長開口部２６において左右方向で移動でき、該移動に伴って該掲示シート１９を該左右方向で移動させ得る接触部２８を嵌め入れ可能に構成されている。
【００３２】
該接触部２８は、本実施例においては図７に示すように手指２７の指腹２９であり、上下の該横長開口部２６，２６の上下幅は、図７に示すように、手指２７の指腹２９を嵌め入れて該指腹２９を、前記収容部２１にある前記掲示シート１９の裏面３０に接触させることができるように設定されている。そして、該指腹２９を前記掲示シート１９の裏面３０に接触させた状態で該手指２７を前記横長開口部２６，２６において左右方向Ｆ（図１）で移動させることができ、該移動に伴って前記掲示シート１９を該左右方向Ｆで移動させ得るように構成されている。以下、これをより具体的に説明する。
【００３３】
図１、図２に示すように、前記前後シート２，３は、透明な樹脂シートからなり、互いに重なり合う、上下に長い矩形状を呈している。そして図５〜６に示すように、該前後シート２，３が互いに重なり合った状態で、その上の縁部５，６相互及び下の縁部７，９相互が、例えば両面粘着テープ３１を介して一体化されると共に、該前後シート２，３の左の縁１０，１１相互及び右の縁１２，１３相互は、図３（Ａ）に示すように分離されている。
【００３４】
該前後シート２，３のサイズは、例えば、厚さが０．２５ｍｍ程度で、横方向長さが５６３ｍｍ程度で、縦方向長さが８２９ｍｍ程度に設定されている。本実施例においては、図１〜２に示すように、前記前シート２に重なり合う前記後シート３の横方向長さは、該前シート２の横方向長さよりも若干短く形成されており、該後シート３の左右の縁１１，１３は、該前シート２の左右の縁１０，１２から内方に３ｍｍ程度控えている。これによって、図３（Ａ）に示すように、前記前シート２の内面３２に対して、手指２７を掛けるための段差５７が設けられている。
【００３５】
又、前記後シート３の上下に設けられている前記横長開口部２６，２６は、図１〜２に示すように、前記のように左右方向略全幅に亘って設けられているのであるが、本実施例においては、図１に示すように、左右方向Ｆに連続した開口部として構成され、前記後シート３の上下端３３，３４に近設して設けられている。そして、上下の横長開口部２６，２６の夫々は、その左端３５と前記後シート３の左の端３６との間の間隔、該横長開口部２６の右端３７と前記後シート３の右の端３９との間の間隔は、共に４３ｍｍ程度に設定されている。又、上下の前記横長開口部２６，２６の上下幅は２５ｍｍ程度に設定されており、これによって、上下の該横長開口部２６，２６の夫々は、図７に示すように、手指２７の指腹２９を嵌め入れ可能である。そして、前記収容部２１に前記掲示シート１９を挿入する際や、該収容部２１から該掲示シート１９を取り出す際には、該手指２７の指腹２９を該掲示シート１９の裏面３０に接触させた状態で該手指２７を該横長開口部２６において左右方向Ｆ（図１）で移動させるに伴って、該掲示シート１９を該左右方向Ｆで移動させ得るようになされている。    
【００３６】
該掲示シート１９を前記収容部２１に収容する際は該手指２７を図１に示す左方向Ｆ１に移動させる一方、該掲示シート１９を前記収容部２１から取り外す際は該手指２７を図１に示す右方向Ｆ２に移動させる。
【００３７】
又本実施例においては、前記後シート３の左右夫々の縁１１，１３の上下方向で見た中央部位に中央欠切凹部４０が設けられており、該左右の中央欠切凹部４０，４０は、左右向き合う状態で円弧状に凹むように欠切されている。
【００３８】
又本実施例においては図１、図１０に示すように、前記掲示シート１９を前記収容部２１に収容する際に、前記後シート３の前記左右の縁１１，１３の上下縁部分４１，４２の近傍部位５２，５３に、応力を集中させないで前記後シート３を無理なく繰り返して開くことができるようにするための縁欠切部４３，４３が設けられている。上下に位置する左右の該縁欠切部４３，４３，４３，４３は、本実施例においては、左右向き合う状態でＶ字状に欠切されている。又本実施例においては図５〜６に示すように、前記後シート３の外面４４の上下の縁部分４６、４７に化粧テープ４９が左右方向全長に亘って貼着されている。
【００３９】
かかる構成を有する掲示シート収容保持具１の、ガラス壁１６ａとしての前記透明板部１６の内壁面５０に対する貼着は、本実施例においては図３（Ｂ）、図５〜６に示すように、前記前シート２の外面５１の上下の縁部分５２，５３に貼着された両面粘着テープ５５を介して行われる。該ガラス壁１６ａは、例えば郵便局等のスライドドア横の固定のガラス壁である。
【００４０】
次に、前記ガラス壁１６ａの内壁面５０の所要部位に固定された前記掲示シート収容保持具１の左の縁１０，１１間２２（図３（Ａ））又は右の縁１２，１３間２３（図３（Ａ））を通して前記掲示シート１９を収容する作業工程を説明する。
【００４１】
これを、右の縁１２，１３間２３を通して前記掲示シート１９を前記収容部２１に収容する場合に代表させて以下説明する。図３、図８〜９に示すように、左右対向する前記中央欠切凹部４０の縁５６（図８）や、内方に控えた状態にある前記後シート３の前記縁１３（図３（Ａ））に、前記前シート２の内面３２に対して段差５７が生ずため、前記掲示シート１９を前記収容部２１に挿入させるために挿入開口５９（図９〜１０）を形成する際、指先２７（指先や爪先）を該段差５７に掛けることによって、図９（Ａ）（Ｂ）に一点鎖線で示し、又図１０に示すように、前記後シート３の縁部分６０を起こす。このように縁部分６０を起こすことによって、該挿入開口５９を形成する。
【００４２】
その後図１０、図１１（Ａ）に示すように、該挿入開口５９に該掲示シート１９の先側部分６１を挿入し、該挿入状態で、図１１（Ｂ）に示すように、該前後シート２，３を閉じる。その後は、図１２、図７に示すように、前記上下の横長開口部２６，２６に手指２７の指腹２９を嵌め入れて該指腹２９を、前記収容部２１に収容状態にある該掲示シート１９の裏面３０に接触させ、該手指２７を該横長開口部２６において左方向Ｆ１に移動させる。これによって該掲示シート１９を左方向Ｆ１に移動させることができる。上下の横長開口部２６，２６における手指のかかる移動に伴い、前記掲示シート１９を上下バランスよく左方向Ｆ１に移動させることができる。
【００４３】
そして、このようにして掲示シート１９が移動するに伴い、前記収容部２１に存する空気が前記上下の横長開口部２６，２６から円滑に抜けるため、該掲示シート１９を左方向Ｆ１に円滑に移動させることができる。これによって、図１〜２に示すように、前記掲示シート１９を前記収容部２１に密着状態で容易に正しく収容された状態となし得る。このように掲示シート１９が前記収容部２１に収容された状態で、該収容された状態にある該掲示シート１９の前記表面表示部２０を、前記透明板部１６と、透明な前記前シート２としての前記掲示面部２５とを透して見ることができる（図３（Ｂ）、図５〜６）。そして図５〜６に示すように、前記前シート２の外面１５が前記透明板部１６の前記内壁面５０に貼着されているため、該外面１５が風雨等の影響を受けて汚損されることがなく、又、該外面１５に傷がつくこともない。従って、該透明板部１６と、透明な前シート２としての前記掲示面部２５とを透して、前記表面表示部２０は常時クリアに見える。
【００４４】
その後における該掲示シート１９の交換に際して、収容されている前記掲示シート１９を前記収容部２１から取り出すときは、図７に示すように前記上下の横長開口部２６，２６に手指２７の指腹２９を嵌め入れ、該手指２７を該横長開口部２６において右方向Ｆ２（図１３）に移動させることにより、該掲示シート１９の例えば右側部分６２を前記右の縁１２から突出させる（図１３）。その後は、突出した該右側部分６２を指で摘まんで引き出すことによって該掲示シート１９を前記収容部２１から容易に取り出すことができる。
【００４５】
掲示シート１９の交換のたびに前記後シート３の開閉動作が繰り返されるのであるが、本実施例においては図１に示すように、前記後シート３の前記左右の縁１１，１３の上下縁部分に前記縁欠切部４３，４３が設けられているため、前記挿入開口５９（図１０）を形成するために該後シート３を繰り返して開いても、該後シート３の前記上下縁部分４１，４２の近傍部位５２，５３（図１０）に応力が集中せず、該近傍部位５２，５３が切れる恐れがない。
【実施例２】
【００４６】
本発明は、前記実施例で示したものに限定されるものでは決してなく、「特許請求の範囲」の記載内で種々の設計変更が可能である。
【００４７】
(1) 図１４は、前記上下の横長開口部２６，２６を補強するために、該上下の横長開口部の夫々の長さ方向の中央部位で、その上下の縁６５，６６相互が、前記後シート３の一部をなす補強連結片６７で連結されている。この場合は、前記接触部２８、例えば指腹２９を、前記掲示シート１９の裏面３０に接触させた状態で手指２７を左右方向Ｆで移動させることによって該掲示シート１９を該左右方向Ｆで移動させる際、該指腹２９は、該補強連結片６７を乗り越えて再び前記裏面３０に接触することにより、前記掲示シート１９を左右方向で所望に移動させることができる。
【００４８】
このように手指２７を移動させる際、該手指２７に指サックを装着する場合は、該指腹２９を該指サックを介して前記裏面３０に接触させることができて摩擦力を増大させ得るため、該手指２７の移動による前記掲示シート１９の左右方向での移動をより確実に行うことができる。該指腹２９を指サックを介して前記裏面３０に接触させる態様も、本発明にいう「指腹を前記裏面に接触させる」ことに該当する。
【００４９】
(2) 前記接触部２８は、前記収容部２１にある前記掲示シート１９の裏面３０に接触でき且つ該接触した状態で該横長開口部２６において左右方向Ｆに移動でき、該移動に伴って該掲示シート１９を該左右方向で移動させ得るものであれば、該裏面３０に接触し得る摩擦部からなり、或いは該摩擦部を有する部材であってもよい。該摩擦部は、前記裏面３０との間で摩擦作用を呈するものであれば、例えばゴム製やスポンジ製等として構成できる他、吸盤片として構成することもできる。
【００５０】
(3) 図１５〜１７は、前記中央欠切凹部４０の、前記前シート２に面する縁部分６９に、該縁部分６９の少なくとも凹部底の部分７０を前記前シート２に対して浮かすための浮かし突部７１を設けた場合を示している。これによって、例えば図１５（Ｂ）、図１６（Ｂ）の側面図や、図１５（Ｃ）のａ−ａ断面図、図１６（Ｃ）のｂ−ｂ断面図に示すように、該凹部底の部分７０に、手指２７の爪先を挿入させ得る挿入間隙部７２を設けることができる。該挿入間隙部７２に爪先を挿入させることにより、該後シート３の縁部分６０を図１０に示すように起こす作業が容易となり、掲示シート１９を挿入させるための前記挿入開口５９を形成し易やすくなる。
【００５１】
前記浮かし突部７１は、点状又は線状に形成できる。図１５においては、前記前シート２に面する縁部分６９に、例えば半球状を呈する突片７３の上端の平坦面７５を前記後シート３の内面７６に例えば接着によって固定することによって前記浮かし突部７１を設けた場合を示している。図１６は前記縁部分６９において、前記前シート２に向けて突出する如く半球状の凹部７７を設けることによって前記浮かし突部７１を設けた場合を示している。又図１７（Ａ）（Ｂ）（Ｃ）は、前記円弧状の縁７９に沿って、湾曲する浮かし突部７１を設けた場合を示している。湾曲する該浮かし突部７１は、図１７（Ａ）（Ｂ）に示すように、該円弧状の縁７９から内方に稍控えて設ける他、図１７（Ｃ）に示すように、該円弧状の縁７９に沿って設けてもよい。
【００５２】
(4) 前記掲示シート収容保持具１を構成する前記前後のシート２，３は、正面視で正方形状や横長の矩形状に構成されることもある。
【００５３】
(5) 前記後シート３の前記上下の縁部６，９間の部分は、図１８に示すように、該後シート３の左の縁１１が前記前シート２の左の縁１０から外方に稍突出する（例えば３ｍｍ程度突出する）と共に、該後シート３の右の縁１３が前記前シート２の右の縁１２から外方に稍突出する( 例えば３ｍｍ程度突出する) ように設けられることもある。このように構成する場合は、前記掲示シート収容保持具１の前記前シート２の外面１５を前記透明板部１６の内壁面５０に貼着した状態で、該内壁面５０と該突出した部分８０との間に、手指の爪先を挿入させ得る挿入間隙部８１が設けられることとなる。従って、前記掲示シート１９を前記収容部２１に挿入するために挿入開口５９を形成する際、該挿入間隙部８１に爪先を挿入させることにより、該後シート３の縁部分６０を起こし易く、該挿入開口５９を形成し易い。
【００５４】
(6) 本発明において、前記前後シート２，３は該前シート２の左の縁１０と該後シート３の左の縁１１とが合致し且つ該前シート２の右の縁１２と該後シート３の右の縁１３とが合致するように互いに重なり合うこともある。このように構成されている場合は、前記縁部分６０を起こすための手段の一例として、該縁部分６０の外面に吸着する吸盤や該縁部分６０に粘着する粘着具を用い、該吸盤や該粘着具を手で把持してこれを該縁部分６０に付着させて後、これを手前に引く手段を採用できる。
【００５５】
(7) 前記前後シート２，３の上の縁部５，６相互、下の縁部７，９相互を一体化する手段は、熱溶着や高周波溶着、超音波溶着等の溶着手段によって行うこともできる。
【００５６】
(8) 前記後シート３は透明でないこともある。この場合は、前記収容部２１への前記掲示シート１９の挿入状態は、前記上下の横長開口部２６，２６を通して確認できる。
【００５７】
(9) 前記透明板部１６は、前記したガラス壁には特定されず、透明体であれば、アクリル板等の樹脂製透明板であってもよい。又これらは、屋内（店内等）に設置される間仕切り等の透明板部であってもよい。
【００５８】
(10)前記中央欠切凹部４０や前記縁欠切部４３の形状は、該中央欠切凹部４０や該縁欠切部４３が前記した所要の機能を発揮するものであれば、前記実施例で示したものには特定されない。
【００５９】
(11)本発明に係る掲示シート収容保持具１は、前記透明板部１６が設けられている各種用途で使用できるものであり、前記した郵便局の他、例えば、銀行やコンビニエンスストア、スーパーマーケット等の店舗においても使用できる。又該掲示シート収容保持具１は、バスやタクシー等の自動車のウインドウの、運転に支障のない部分を前記透明板部１６として利用して使用することもできる。
【符号の説明】
【００６０】
１    掲示シート収容保持具
２    前シート
３    後シート
５    上の縁部
６    上の縁部
７    下の縁部
９    下の縁部
１０  左の縁
１１  左の縁
１２  右の縁
１３  右の縁
１５  外面
１６  透明板部
１９  掲示シート
２０  表面表示部
２１  収容部
２２  間
２３  間
２５  掲示面部
２６  横長開口部
２７  手指  
２９  指腹
４０  中央欠切凹部
４３  縁欠切部
５０  内壁面
５７  段差
５９  挿入開口
７１  浮かし突部
７２  挿入間隙部
７７  半球状の凹部
７９  円弧状の縁
【図１】
2020126097.tif 000003
【図２】
2020126097.tif 000004
【図３】
2020126097.tif 000005
【図４】
2020126097.tif 000006
【図５】
2020126097.tif 000007
【図６】
2020126097.tif 000008
【図７】
2020126097.tif 000009
【図８】
2020126097.tif 000010
【図９】
2020126097.tif 000011
【図１０】
2020126097.tif 000012
【図１１】
2020126097.tif 000013
【図１２】
2020126097.tif 000014
【図１３】
2020126097.tif 000015
【図１４】
2020126097.tif 000016
【図１５】
2020126097.tif 000017
【図１６】
2020126097.tif 000018
【図１７】
2020126097.tif 000019
【図１８】
2020126097.tif 000020